(57)【要約】【課題】  簡易な操作で磁気カードに新たなデータを書き込むことができるカードリーダライタ装置を提供する。【解決手段】  本発明のカードリーダライタ装置１は、カードリーダライタ３と、モード変更カード１７と、カードリーダライタ３に接続されたセンタサーバ２とを備え、カードリーダライタ３は読取手段５と、書込手段７と、送受信手段１１と、モード変更を行なうモード変更手段９と、変更カード認識手段１３とを備え、センタサーバ２には会員情報が記憶されており、モード変更カード１７をカードリーダライタ３に差し込むと、変更カード認識手段１３がモード変更カード１７を認識してカードリーダライタ３を読み取りモードから書き込みモードに変更すると共に、カードリーダライタ３に新規の磁気カード１６を差し込むと、センタサーバ２に記憶された会員情報がカードリーダライタ３に送信されて、磁気カード１６に会員情報が書き込まれるようにした。【選択図】      図１
2006285323.tif 000002
【特許請求の範囲】
【請求項１】
カードリーダライタと、モード変更カードと、カードリーダライタに接続されたセンタサーバとを備え、カードリーダライタは磁気カードに書き込まれた会員情報を読み取る読取手段と、磁気カードに会員情報の書き込みを行なう書込手段と、カードリーダライタとセンタサーバとの間で会員情報を送受信する送受信手段と、読取りモードと書き込みモードとの間でモード変更を行なうモード変更手段と、モード変更カードを認識する変更カード認識手段とを備え、センタサーバには会員情報が記憶されており、モード変更カードをカードリーダライタに差し込むと、変更カード認識手段がモード変更カードを認識してカードリーダライタを読み取りモードから書き込みモードに変更すると共に、カードリーダライタに新規の磁気カードを差し込むと、磁気カードを認識してセンタサーバに記憶された会員情報がカードリーダライタに送信されて、磁気カードに会員情報が書き込まれることを特徴とするカードリーダライタ装置。
【請求項２】
磁気カードをカードリーダライタから引き抜くと、所定時間経過後に書き込みモードから読み取りモードに変更される変更時間設定手段を備えていることを特徴とする請求項１に記載のカードリーダライタ装置。
【請求項３】
カードリーダライタは複数備えており、モード変更カードを差し込んだ一方のカードリーダライタのみ書き込みモードに変更され、他方のカードリーダライタは読み取りモードが維持されることを特徴とする請求項１又は２に記載のカードリーダライタ装置。
【請求項４】
カードリーダライタに磁気カードが読取られると、その情報がセンタサーバから所定のメールアドレスに送信されることを特徴とする請求項１〜３の何れか一項に記載のカードリーダライタ装置。
【発明の詳細な説明】
【技術分野】
【０００１】
本発明は、磁気カードとの間でデータの読み込み及び書き込みを行なうカードリーダライタを備えたカードリーダライタ装置に関する。
【背景技術】
【０００２】
特許文献１には、ＩＣカードとの間でデータの読み込み及び書き込みを行なうカードリーダライタ装置が開示されている。
【０００３】
【特許文献１】特開２００３−５０９７９号公報
【発明の開示】
【発明が解決しようとする課題】
【０００４】
しかし、特許文献１に記載の従来技術は、ＩＣカードとの間でデータの読み込み及び書き込みを行なうものであり、磁気カードのような簡易な記録媒体のとの間でデータの読み込み及び書き込みを行なうものではない。
【０００５】
一方、磁気カードに新たなデータを書き込む場合には、カードリーダライタに接続したコンピュータ上で読み取りモードから書き込みモードに設定変更を行ない、その後、カードリーダライタの前まで行き、磁気カードをカードリーダライタに差し込んでデータの書き込みを行なっていた。
【０００６】
そのため、新たに会員の磁気カードを作成する毎にコンピュータとカードリーダライタとの間を行き来しなければならず、書き込み操作が困難であるという問題がある。
【０００７】
本発明は、簡易な操作で磁気カードに新たなデータを書き込むことができるカードリーダライタ装置を得ることを目的とする。
【課題を解決するための手段】
【０００８】
前記課題を解決するために、請求項１に記載された発明は、カードリーダライタと、モード変更カードと、カードリーダライタに接続されたセンタサーバとを備え、カードリーダライタは磁気カードに書き込まれた会員情報を読み取る読取手段と、磁気カードに会員情報の書き込みを行なう書込手段と、カードリーダライタとセンタサーバとの間で会員情報を送受信する送受信手段と、読取りモードと書き込みモードとの間でモード変更を行なうモード変更手段と、モード変更カードを認識する変更カード認識手段とを備え、センタサーバには会員情報が記憶されており、モード変更カードをカードリーダライタに差し込むと、変更カード認識手段がモード変更カードを認識してカードリーダライタを読み取りモードから書き込みモードに変更すると共に、カードリーダライタに新規の磁気カードを差し込むと、磁気カードを認識してセンタサーバに記憶された会員情報がカードリーダライタに送信されて、磁気カードに会員情報が書き込まれることを特徴とする。
【０００９】
ここで、読取りモードとは、磁気カードに書き込まれた会員情報を読取る処理及び磁気カードに読取った回数（ポイント）情報や、読取った時間情報等の所定事項の書き込みを行なう処理をいう。
【００１０】
書き込みモードとは、例えば新規会員のカード発行や、会員の所属する学年やクラス等の種別の変更にかかるカード初期化を行なう処理をいう。
【００１１】
請求項２に記載された発明は、請求項１に記載の発明において、磁気カードをカードリーダライタから引き抜くと、所定時間経過後に書き込みモードから読み取りモードに変更される変更時間設定手段を備えていることを特徴とする。
【００１２】
請求項３に記載された発明は、請求項１又は２に記載の発明において、カードリーダライタは複数備えており、モード変更カードを差し込んだ一方のカードリーダライタのみ書き込みモードに変更され、他方のカードリーダライタは読み取りモードが維持されること
を特徴とする。
【００１３】
請求項４に記載された発明は、請求項１〜３の何れか一項に記載の発明において、カードリーダライタに磁気カードが読取られると、その情報がセンタサーバから所定のメールアドレスに送信されることを特徴とする。
【発明の効果】
【００１４】
請求項１に記載の発明によれば、磁気カードに新たな会員情報を書き込む場合には、カードリーダライタにモード変更カードを差し込む。変更カード認識手段によりモード変更カードが認識されると、カードリーダライタは読取りモードから書き込みモードに変更される。カードリーダライタが書き込みモードに変更されるとモード変更カードを抜いて、磁気カードをカードリーダライタに差し込む。磁気カードがカードリーダライタに差し込まれると、新規の磁気カードが認識され、センタサーバに記憶された会員情報がカードリーダに送信され、磁気カードに会員情報が書き込まれる。
【００１５】
モード変更カードをカードリーダライタに差し込むと、読取りモードから書き込みモードに変更されるので、カードリーダライタから離れたコンピュータ上で読み取りモードから書き込みモードに設定変更を行なう必要がなく、簡易な操作で磁気カードに新たなデータを書き込むことができる。
【００１６】
請求項２に記載された発明によれば、請求項１に記載の発明と同様の効果を奏するとともに、磁気カードをカードリーダライタから引き抜くと、所定時間経過後に自動的に書き込みモードから読取りモードに変更されるので、書き込みモードから読取りモードに戻すための操作を別途必要とせずに操作が簡単である。
【００１７】
請求項３に記載された発明によれば、請求項１又は２に記載の発明と同様の効果を奏するとともに、複数のカードリーダライタのうち、モード変更カードを差し込んだ一方のカードリーダライタのみ、読取りモードから書き込みモードに変更されるので、新たな会員の磁気カードを作成する際に、他のカードリーダライタは書き込みモードに変更されず、磁気カードの読取りを継続して行なうことができる。
【００１８】
請求項４に記載された発明によれば、請求項１〜３の何れか一項に記載の発明と同様の効果を奏するとともに、カードリーダライタに磁気カードが読取られると、その情報がセンタサーバから、例えば家族等の所定のメールアドレスに送信されるので、会員の入退出情報をリアルタイムに把握でき、保護者に安心感を与えることができる。
【発明を実施するための最良の形態】
【００１９】
以下に、添付図面を参照して、本発明の実施の形態を詳細に説明する。図１は本実施の形態に係るカードリーダライタ装置の要部を示す制御ブロック図、図２は本実施の形態に係るカードリーダライタ装置の動作を示すフローチャート、図３は本実施の形態に係るカードリーダライタ装置に用いられるカードリーダライタを示す斜視図、図４は本実施の形態に係るカードリーダライタ装置の全体を示す模式図である。
【００２０】
本実施形態に係るカードリーダライタ装置１は、学習塾に用いられるものであり、学習塾の各教室（教室Ａ、Ｂ）に設けられたカードリーダライタ３と、ＨＵＢポートを用いて複数のカードリーダライタ３と接続したホストコンピュータ６と、ホストコンピュータ６にルータ８を介してインターネット接続したセンタサーバ２とを備え、カードリーダライタ３に磁気カード１６を読み取らせることで、生徒の入退出情報や出欠情報を管理している。
【００２１】
カードリーダライタ３は、各教室のフロア毎に１台ずつ備えられており、磁気カード１６に書き込まれた会員情報を読取る読取手段５と、磁気カード１６に会員情報の書き込みを行なう書込手段７と、カードリーダライタ３とセンタサーバ２との間で会員情報を送受信する送受信手段１１と、読取りモードと書き込みモードとの間でモード変更を行なうモード変更手段９と、モード変更カード１７を認識する変更カード認識手段１３と、磁気カード１６をカードリーダライタ３から引き抜くと、所定時間経過後に書き込みモードから読取りモードに変更される変更時間設定手段１５と、これらに接続された制御部１０とを備えている。
【００２２】
磁気カード１６には生徒の会員番号、氏名、学年等の会員情報が書き込まれている。また、磁気カード１６にはポイントが表示されるようになっており、カードリーダライタ３に磁気カード１６を差し込むと、所定のポイントが加算され、加算されたポイントが表示される。また、カードリーダライタ３に磁気カード１６が差し込まれると、その情報がセンタサーバ２に送信される。
【００２３】
モード変更カード１７には所定の磁気情報が書き込まれており、モード変更カード１７をカードリーダライタ３の挿入口１９から差し込むと、カード認識手段１３により所定の磁気情報が読み取られ、モード変更手段９によりカードリーダライタ３が読取りモードから書き込みモードに変更される。
【００２４】
ホストコンピュータ６は、会員情報の入力を行なう入力手段２１と、入力された会員情報をモニタ画面上に表示する表示手段２５と、表示された会員情報を出力する出力手段２３と、会員情報を記憶する記憶手段２９と、送受信手段２７とを備えている。ホストコンピュータ６とセンタサーバ２とをインターネット接続している。ホストコンピュータ６においてＷＥＢブラウザ上の所定の入力フォームに会員情報を入力すると、入力した会員情報はセンタサーバ２において記憶される。また、カードリーダライタ３からは逐次、生徒の入退出情報や出欠情報がセンタサーバ２に送信されるようになっており、その情報はホストコンピュータ６のＷＥＢブラウザ上で閲覧できる。尚、本部にあるコンピュータ３０も、ホストコンピュータ６と同様の機能を備えており、ＷＥＢブラウザ上で会員情報の入力や閲覧ができるようになっている。
【００２５】
センタサーバ２は会員情報を蓄積した記憶手段３１と、ホストコンピュータ６との間で
会員情報の送受信を行う送受信手段３３と、ホストコンピュータ６のＷＥＢブラウザ上で会員情報等の入力フォームを表示する表示手段３５と、これらを制御する制御部３７とを備えている。
【００２６】
また、センタサーバ２は生徒の保護者所有のパーソナルコンピュータ１８又は携帯電話２０とインターネット４で接続されており、カードリーダライタ３の読取手段５により磁気カード１６の会員情報が読み取られると、その情報がセンタサーバ２から保護者のメールアドレスに送信され、生徒の入退出情報をリアルタイムに知ることができる。
【００２７】
次に、本実施の形態にカードリーダライタ装置の作用及び効果を説明する。新規会員が入塾した場合には、ホストコンピュータ６からセンタサーバ２にインターネット接続４して、サーバ２のＷＥＢブラウザ上で会員情報を入力して会員の新規登録を行なう。
【００２８】
会員の新規登録が終了した後、磁気カード１６に新たに会員情報を書き込む場合には、図２のフローチャートで示すように、カードリーダライタ３の挿入口１９にモード変更カード１７を差し込む（ステップＳ1）。挿入口１９にモード変更カード１７が差し込まれると、変更カード認識手段１３によりモード変更カード１７を認識したか否か判断される（ステップＳ２）。ステップＳ２において、変更カード認識手段１３によりモード変更カード１７が認識されると、カードリーダライタ３は読取りモードから書き込みモードに変更される（ステップＳ３）。カードリーダライタ３が書き込みモードに変更されるとモード変更カード１７を抜いて、新規の磁気カード１６をカードリーダライタ３に差し込む（ステップＳ４）。新規の磁気カード１６がカードリーダライタ３に差し込まれると、新規の磁気カード１６が認識され（ステップＳ５）、センタサーバ２に記憶された会員情報がカードリーダ３に送信され、新規の磁気カード１６に会員情報が書き込まれる（ステップＳ５）。その後、モード変更カード１７をカードリーダライタ３から引き抜くと、所定時間経過後に自動的に書き込みモードから読取りモードに変更される（ステップＳ８）。
【００２９】
モード変更カード１７がカードリーダライタ３に認識されると、カードリーダライタ３が読取りモードから書き込みモードに変更されるので、モードを変更するための設定を別途必要とせずに構成が簡易になる。
【００３０】
磁気カード１６に会員情報を入力した後、磁気カード１６をカードリーダライタ３から引き抜くと、所定時間経過後に自動的に読取りモードに変更されるので、書き込みモードから読取りモードに戻すための操作を別途必要とせずに操作が簡単である。
【００３１】
カードリーダライタ３に磁気カード１６が読取られると、その情報がセンタサーバ２から、家族の所定のメールアドレスに送信されるので、会員の入退出情報をリアルタイムに把握でき、保護者に安心感を与えることができる。
【００３２】
センタサーバ２で会員情報の管理を一括して行なっているので、教室間が離れた場所にあっても教室内のホストコンピュータ６のＷＥＢブラウザ上で生徒の入退出情報や出欠情報を閲覧でき会員の管理が容易である。
【００３３】
なお、本発明は、前述した実施形態に限定されることなく、その要旨を逸脱しない範囲で種々変形して実施できることは言うまでもない。
【００３４】
磁気カード１６をカードリーダライタ３から引き抜くと、所定時間経過後に自動的に読取りモードに変更されるようにしたが、これに限定されず、モード変更カード１７を差し込んで、カードリーダライタ３を書き込みモードから読取りモードに戻すようにしてもよい。
【００３５】
磁気カード１６をカードリーダライタ３から引き抜くと、所定時間経過後に自動的に読取りモードに変更されるようにしたが、これに限定されず、モード変更カード１７を差し込んで、カードリーダライタ３を書き込みモードから読取りモードに戻すようにしてもよい。
【００３６】
カードリーダライタ装置１は、学習塾に用いたが、これに限定されず、フィットネスクラブや美容室、飲食店に用いるものであっても良い。
【００３７】
カードリーダライタ装置１は、ホストコンピュータ６を介してセンタサーバ２に接続してあるが、カードリーダライタ装置１を直接、センタサーバ２に接続しても良い。
【図面の簡単な説明】
【００３８】
【図１】本実施の形態に係るカードリーダライタ装置の要部を示す制御ブロック図である。
【図２】本実施の形態に係るカードリーダライタ装置の動作を示すフローチャートである。
【図３】本実施の形態に係るカードリーダライタ装置に用いられるカードリーダライタを示す斜視図である。
【図４】本実施の形態に係るカードリーダライタ装置の全体を示す模式図である。
【符号の説明】
【００３９】
１              カードリーダライタ装置
２              センタサーバ
３              カードリーダライタ
５              読取手段
７              書込手段
９              モード変更手段
１１            送受信手段
１３            変更カード認識手段
１５            変更時間設定手段
１６            磁気カード
１７            モード変更カード
【図１】
2006285323.tif 000003
【図２】
2006285323.tif 000004
【図３】
2006285323.tif 000005
【図４】
2006285323.tif 000006